(57)【要約】      （修正有）【課題】折り畳んだ状態での占有空間を減少することができるレジャー用椅子の連動折畳み式フレーム構造を提供すること。【解決手段】背もたれフレームセットが左右両側の背もたれフレーム１１，１１を備え、且つ各側の背もたれフレーム１１，１１が斜め方向にフロントフレーム６１，６１の下部まで延伸されて枢着され、且つフロントフレーム６１，６１と手すりバー５１，５１とを枢着し、背もたれフレーム１１，１１と手すりバー５１，５１を枢着した連動関係に、フロントフレーム６１，６１を伸縮可能な形態（第１伸縮パイプ７１，第２伸縮パイプ７２）とすることで、手すりバー５１，５１がフロントフレーム６１，６１を牽引し、背もたれフレーム１１，１１をフロントフレーム６１，６１に重ねて折畳まれた形態を形成し、且つ伸縮パイプの形態により折畳み時の占有空間の体積を減少する。【選択図】図４
0003140611.tif 000002
【実用新案登録請求の範囲】
【請求項１】
左右両側の背もたれフレームを備えた背もたれフレームセットと、左右両側の座面フレームを備えた座面フレームセットと、左右両側の手すりバーを備えた手すりフレームセットと、左右両側のフロントフレームを備えたフロントバーセットと、前記左右両側の背もたれフレームの間に配設されると共に、２本のフレーム基材の中間部分同士が交差され、交差部分が枢着されて構成された後部交差フレームとを含んでなるレジャー用椅子の連動折畳み式フレーム構造であって、
前記左右両側の背もたれフレームの各々の下端部は、前記左右両側のフロントフレームの各々の下部に向けて斜め方向にそれぞれ延伸され、かつ前記左右両側のフロントフレームの各々の下部にそれぞれ枢着され、
前記左右両側の座面フレームの各々は、それぞれ中間部分が斜め下方に向けて折曲され、
前記左右両側の座面フレームの中間部分の各々と前記左右両側の背もたれフレームの各々とがそれぞれ相互に枢着され、
前記左右両側の座面フレームの各々の前端部が前記左右両側のフロントフレームの各々の中段部にそれぞれ枢着され、前記左右両側の座面フレームの各々の後端部が後方かつ下方に向かって延伸されて、前記後部交差フレームの各々のフレーム基材の下端部にそれぞれ枢着され、
前記左右両側の手すりバーの各々の後端部が前記左右両側の背もたれフレームの各々にそれぞれ枢着され、前記左右両側の手すりバーの各々の前端部が前記左右両側のフロントフレームの各々の上部にそれぞれ枢着され、
前記左右両側のフロントフレームの各々は、前記手すりバーと前記フロントフレームの上部とが枢着された位置と、前記座面フレームの前端部と前記フロントフレームの中段部とが枢着された位置との間の部分が第１伸縮パイプで構成され、
且つ前記背もたれフレームと前記フロントフレームの下部とが枢着された位置と、前記座面フレームの前端部と前記フロントフレーム中段部とが枢着された位置との間の部分が第２伸縮パイプで構成された、
ことを特徴とするレジャー用椅子の連動折畳み式フレーム構造。
【請求項２】
前記左右両側の手すりバーの後端部が前記左右両側の背もたれフレームの前面にそれぞれ対面して配置されると共に横方向の軸で枢着され、前記左右両側の手すりバーを折り畳んだときに前記左右両側の背もたれフレームの前側にそれぞれ重なる構成とされた、
ことを特徴とする請求項１に記載のレジャー用椅子の連動折畳み式フレーム構造。
【請求項３】
前記第１伸縮パイプが第１外管及び前記第１外管の内部に対して出入移動可能な第１内管を含み、前記第１内管の外径が前記第１外管の内径より小さく、前記第１内管の末端に外径が前記第１外管の内径に相当する第１凸縁部が形成され、前記第１外管の上部に前記第１凸縁部に対する第１ストッパが設けられた、
ことを特徴とすることを特徴とする請求項１に記載のレジャー用椅子の連動折畳み式フレーム構造。
【請求項４】
前記第２伸縮パイプが第２外管及び前記第２外管の内部に対して出入移動可能な第２内管を含み、前記第２内管の外径が前記第２外管の内径より小さく、前記第２内管の末端に外径が前記第２外管の内径に相当する第２凸縁部が形成され、前記第２外管の上部に前記第２凸縁部に対する第２ストッパが設けられた、
ことを特徴とする請求項１に記載のレジャー用椅子の連動折畳み式フレーム構造。
【請求項５】
前記後部交差フレームの前方に対応して前記左右両側のフロントフレームの間に、２本のフレーム基材の中間部分同士が交差され、交差部分が枢着されて構成された前部交差フレームが設けられ、
前記前部交差フレームの各フレーム基材の上部と前記左右両側のフロントフレームの各々の中段部とがそれぞれ枢着され、前記前部交差フレームの各フレーム基材の下部と前記左右両側のフロントフレームの各々の下端とがそれぞれ枢着されると共に、
前記後部交差フレームの各フレーム基材の上部と前記左右両側の背もたれフレームとがそれぞれ枢着され、前記後部交差フレームの各フレーム基材の下部と前記左右両側の座面フレームの各々の下端部とがそれぞれ枢着された、
ことを特徴とする請求項１に記載のレジャー用椅子の連動折畳み式フレーム構造。
【考案の詳細な説明】
【技術分野】
【０００１】
本考案は、レジャー用椅子の連動折畳み式フレーム構造に関する。
【背景技術】
【０００２】
一般のレジャー用椅子は大多数が各フレームの組み合わせとこれらの接続により構成され、占有空間を減少するために折り畳むことができるようになっている。
【考案の開示】
【考案が解決しようとする課題】
【０００３】
しかしながら、レジャー用椅子はフレームの数が多いため、折畳みの際にフレーム間を相互に閉じ合わせたとき、どれほど緊密に畳んでもフレーム同士が重なってしまい、その体積(材積)がかさんでしまう。このため、いかに材積を減少するか、改良が必要である。
【０００４】
そこで、本考案は、これに鑑みてなされたもので、その目的は、折り畳んだときの体積を減少することができるレジャー用椅子の連動折畳み式フレーム構造を提供することにある。
【課題を解決するための手段】
【０００５】
請求項１に係るレジャー用椅子の連動折畳み式フレーム構造は、上記課題を解決するために、左右両側の背もたれフレームを備えた背もたれフレームセットと、左右両側の座面フレームを備えた座面フレームセットと、左右両側の手すりバーを備えた手すりフレームセットと、左右両側のフロントフレームを備えたフロントバーセットと、前記左右両側の背もたれフレームの間に配設されると共に、２本のフレーム基材の中間部分同士が交差され、交差部分が枢着されて構成された後部交差フレームとを含んでなるレジャー用椅子の連動折畳み式フレーム構造であって、前記左右両側の背もたれフレームの各々の下端部は、前記左右両側のフロントフレームの各々の下部に向けて斜め方向にそれぞれ延伸され、かつ前記左右両側のフロントフレームの各々の下部にそれぞれ枢着され、前記左右両側の座面フレームの各々は、それぞれ中間部分が斜め下方に向けて折曲され、前記左右両側の座面フレームの中間部分の各々と前記左右両側の背もたれフレームの各々とがそれぞれ相互に枢着され、前記左右両側の座面フレームの各々の前端部が前記左右両側のフロントフレームの各々の中段部にそれぞれ枢着され、前記左右両側の座面フレームの各々の後端部が後方かつ下方に向かって延伸されて、前記後部交差フレームの各々のフレーム基材の下端部にそれぞれ枢着され、前記左右両側の手すりバーの各々の後端部が前記左右両側の背もたれフレームの各々にそれぞれ枢着され、前記左右両側の手すりバーの各々の前端部が前記左右両側のフロントフレームの各々の上部にそれぞれ枢着され、前記左右両側のフロントフレームの各々は、前記手すりバーと前記フロントフレームの上部とが枢着された位置と、前記座面フレームの前端部と前記フロントフレームの中段部とが枢着された位置との間の部分が第１伸縮パイプで構成され、且つ前記背もたれフレームと前記フロントフレームの下部とが枢着された位置と、前記座面フレームの前端部と前記フロントフレーム中段部とが枢着された位置との間の部分が第２伸縮パイプで構成された、ことを特徴とする。
【０００６】
請求項２に係るレジャー用椅子の連動折畳み式フレーム構造は、請求項１に係るレジャー用椅子の連動折畳み式フレーム構造において、前記左右両側の手すりバーの後端部が前記左右両側の背もたれフレームの前面にそれぞれ対面して配置されると共に横方向の軸で枢着され、前記左右両側の手すりバーを折り畳んだときに前記左右両側の背もたれフレームの前側にそれぞれ重なる構成とされた、ことを特徴とするものである。
【０００７】
請求項３に係るレジャー用椅子の連動折畳み式フレーム構造は、請求項１に係るレジャー用椅子の連動折畳み式フレーム構造において、前記第１伸縮パイプが第１外管及び前記第１外管の内部に対して出入移動可能な第１内管を含み、前記第１内管の外径が前記第１外管の内径より小さく、前記第１内管の末端に外径が前記第１外管の内径に相当する第１凸縁部が形成され、前記第１外管の上部に前記第１凸縁部に対する第１ストッパが設けられた、ことを特徴とするものである。
【０００８】
請求項４に係るレジャー用椅子の連動折畳み式フレーム構造は、請求項１に係るレジャー用椅子の連動折畳み式フレーム構造において、前記第２伸縮パイプが第２外管及び前記第２外管の内部に対して出入移動可能な第２内管を含み、前記第２内管の外径が前記第２外管の内径より小さく、前記第２内管の末端に外径が前記第２外管の内径に相当する第２凸縁部が形成され、前記第２外管の上部に前記第２凸縁部に対する第２ストッパが設けられた、ことを特徴とするものである。
【０００９】
請求項５に係るレジャー用椅子の連動折畳み式フレーム構造は、請求項１に係るレジャー用椅子の連動折畳み式フレーム構造において、前記後部交差フレームの前方に対応して前記左右両側のフロントフレームの間に、２本のフレーム基材の中間部分同士が交差され、交差部分が枢着されて構成された前部交差フレームが設けられ、前記前部交差フレームの各フレーム基材の上部と前記左右両側のフロントフレームの各々の中段部とがそれぞれ枢着され、前記前部交差フレームの各フレーム基材の下部と前記左右両側のフロントフレームの各々の下端とがそれぞれ枢着されると共に、前記後部交差フレームの各フレーム基材の上部と前記左右両側の背もたれフレームとがそれぞれ枢着され、前記後部交差フレームの各フレーム基材の下部と前記左右両側の座面フレームの各々の下端部とがそれぞれ枢着された、ことを特徴とするものである。
【考案の効果】
【００１０】
本考案のレジャー用椅子の連動折畳み式フレーム構造によれば、第１伸縮パイプと第２伸縮パイプの構造及び作用を用い、左右のフロントフレームに内管と外管との同軸での収納機能及び引き伸ばし機能（伸張機能）を形成し、折畳み時に、フロントフレームの伸張に伴って、背もたれフレームがフロントフレームに向けて前方に接近することによりフロントフレームを背もたれフレームと重ね合わせることができ、この結果、格別に占有空間を減少することができる。
【考案を実施するための最良の形態】
【００１１】
以下、本考案の実施の形態を図面を参照して説明する。図１は本考案の実施形態に係るレジャー用椅子の連動折畳み式フレーム構造の開いた状態を示す正面図であり、図２は図１のレジャー用椅子の連動折畳み式フレーム構造の開いた状態を示す側面図である。
【００１２】
図１乃至図２に示すように、本考案のレジャー用椅子の連動折畳み式フレーム構造は、概略として、背もたれフレームセット１、後部交差フレーム２、座面フレームセット３、前部交差フレーム４、手すりフレームセット５、フロントバーセット６を含んで構成されている。
【００１３】
背もたれフレームセット１は、長手方向を椅子の前後方向に対して斜め方向（前端が下で後端が上となる）に向けて配置された左右両側の背もたれフレーム１１，１１で構成され、レジャー用椅子の背もたれ及び本体の支持に用いられる。座面フレームセット３は、長手方向を椅子の前後方向に対して斜め方向（前端が上で後端が下となる）に向けて配置された左右両側の座面フレーム３１，３１で構成され、座面（図示しない）の両側を結合するために用いられる。
【００１４】
手すりフレームセット５は、長手方向を椅子の前後方向に向けて配置された左右両側の手すりバー５１，５１で構成され、レジャー用椅子に手すりを提供するために用いられる。フロントバーセット６は、長手方向を椅子の上下方向に向けて配置された左右両側のフロントフレーム６１，６１で構成されており、左右両側のフロントフレーム６１，６１に後述の同軸の内縮外伸機能を備え、折り畳んだときの占有体積を減少することができる。
【００１５】
後部交差フレーム２は、略長さが同じで薄肉棒状の２本のフレーム基材２１，２１の中間部分同士が交差され、交差部分が枢着されて構成され、左右両側の背もたれフレーム１１，１１の間に配設され、背もたれフレームセット１を連結するため及び左右の両側方向への伸張並びに収縮のために用いられる（図１参照）。
【００１６】
同様に、前部交差フレーム４は、略長さが同じで薄肉棒状の２本のフレーム基材４１，４１の中間部分同士が交差され、交差部分が枢着されて構成されている。前部交差フレーム４は、後部交差フレーム２の前方に対向して左右両側のフロントフレーム６１，６１の間に配設され、フロントバーセット６を連結するため及び後部交差フレーム２に対応して左右の両側方向への伸張並びに収縮のために用いられる（図１参照）。
【００１７】
左右両側の各背もたれフレーム１１，１１は、それぞれ中間部の上端寄りが屈曲され、下方に向けて各々の下端部が斜め前方向に左右両側の各フロントフレーム６１，６１の下部まで延伸され、各背もたれフレーム１１，１１の下端部が各フロントフレーム６１，６１の下端に対してそれぞれ枢着されている（図２参照）。
【００１８】
後部交差フレーム２は、左右両側の背もたれフレーム１１，１１の間に配設され、２本のフレーム基材２１，２１の各上部が左右２本の背もたれフレーム１１，１１の屈曲部分付近にそれぞれ枢着され（図１乃至図２参照）、２本のフレーム基材２１，２１の各下部が座面フレームセット３の左右の座面フレーム３１，３１の下端部にそれぞれ枢着されている（図１参照）。
【００１９】
左右の座面フレーム３１，３１は、それぞれ中間部が折曲され、下方に向けて各々の下端部が斜め後方向に左右両側の後部交差フレーム２の各フレーム基材２１，２１の下端部まで延伸されている（図２参照）。左右の座面フレーム３１，３１のそれぞれの中間部は、左右の背もたれフレーム１１，１１の各中間部と相互にそれぞれ枢着され（図２並びに図４参照）、左右の座面フレーム３１，３１の各前端は、左右のフロントフレーム６１，６１の各中段部にそれぞれ枢着され、左右の座面フレーム３１，３１の各後端は、後部交差フレーム２の各フレーム基材２１，２１の下端部に枢着されている（図１参照）。
【００２０】
前部交差フレーム４は、左右両側のフロントフレーム６１，６１の間に配設され、２本のフレーム基材４１，４１の各上部が左右の各フロントフレーム６１，６１の中段部にそれぞれ枢着され、２本のフレーム基材４１，４１の各下部が左右両側のフロントフレーム６１，６１の下端部にそれぞれ枢着されている（図１参照）。
【００２１】
左右両側の手すりバー５１は、左右の各背もたれフレーム１１と左右の各座面フレーム３１との枢着部分よりも上端寄りでかつ各背もたれフレーム１１の屈曲部分との間において、左右両側の手すりバー５１，５１の各後端部が左右の各背もたれフレーム１１，１１にそれぞれ枢着され、左右両側の手すりバー５１，５１の各前端部が左右のフロントフレーム６１の各上端部に枢着されている（図２参照）。
【００２２】
図３は折り畳んだ状態のレジャー用椅子の連動折畳み式フレーム構造を示す正面図である。また、図４は折り畳んだ状態のレジャー用椅子の連動折畳み式フレーム構造を示す側面図である。さらに、図５は手すりバー５１と背もたれフレーム１１との枢着部分を示す斜視図である。
【００２３】
また、図５に示すように、手すりバー５１の後端部は背もたれフレーム１１の前面に対面して配置されており、前方に張り出すようにして手すりバー５１の両側面に取り付けられた左右の支持片５５，５５間に手すりバー５１の後端部が横方向の支軸５６により回動自在に支持されている。この構成により、手すりバー５１を折り畳んだとき、背もたれフレーム１１の前側に手すりバー５１が重なり、左右外側にかさむ占有体積を減少することができる。
【００２４】
フロントバーセット６は、図３と図４に示すように、左右両側のフロントフレーム６１，６１で構成されている。各フロントフレーム６１は、フロントフレーム６１の上部に相当する手すりバー５１とフロントフレーム６１とが枢着された位置と、座面フレーム３１の前端部とフロントフレーム６１の中段部とが枢着された位置との間の部分が第１伸縮パイプ７１で構成されている。また、フロントフレーム６１の下部に相当する背もたれフレーム１１とフロントフレーム６１とが枢着された位置と、座面フレーム３１の前端部とフロントフレーム６１の中段部とが枢着された位置との間の部分が第２伸縮パイプ７２で構成されている。このように、フロントフレーム６１を伸縮パイプで構成することにより、フロントフレーム６１に同軸の内縮外伸機能を持たせ、折り畳んだときの占有体積を減少することができる。
【００２５】
図４に示すように、第１伸縮パイプ７１は、第１外管７１１と、第１外管７１１の内部に対して出入移動可能な第１内管７１２とを含む。第１内管７１２の外径は第１外管７１１の内径より小さく、第１内管７１２の末端部に外径が第１外管７１１の内径に相当する第１凸縁部７１３が形成され、第１外管７１１の上部に第１凸縁部７１３に対する第１ストッパ７１４が設けられている。このように、第１凸縁部７１３と第１外管７１１の径が同じであり、且つ材質の摩擦性によって第１内管７１２を引き伸ばすときの抵抗を形成し、且つ第１ストッパ７１４により第１内管７１２が第１外管７１１から上方に抜け出ないよう規制されている。
【００２６】
また、図４に示すように、第２伸縮パイプ７２は、第２外管７２１と、第２外管７２１の内部に対して出入移動可能な第２内管７２２とを含む。第２内管７２２の外径は第２外管７２１の内径より小さく、第２内管７２２の末端部に外径が第２外管７２１の内径に相当する第２凸縁部７２３が形成され、第２外管７２１の上部に第２凸縁部７２３に対する第２ストッパ７２４が設けられている。このように、第２凸縁部７２３と第２外管７２１の径が同じであり、且つ材質の摩擦性によって第２内管７２２を引き伸ばすときの抵抗を形成し、且つ第２ストッパ７２４により第２内管７２２が第２外管７２１から上方に抜け出ないよう規制されている。
【００２７】
図３と図４に示すように、本考案のレジャー用椅子の連動折畳み式フレーム構造における折畳み時は、主として、手すりバー５１がフロントフレーム６１の第１伸縮パイプ７１を牽引し、第１伸縮パイプ７１の第１内管７１２を第１外管７１１から上方に引き出し、同時に背もたれフレーム１１がフロントフレーム６１に向けて前方に接近することにより座面フレーム３１の角度が変化し、さらに第２伸縮パイプ７２を牽引して第２伸縮パイプ７２の第２内管７２２を第２外管７２１から上方に引き出す。この連結構造によりフロントフレーム６１を背もたれフレーム１１と重ね合わせることができる。
【００２８】
本考案は第１伸縮パイプ７１と第２伸縮パイプ７２の構造及び作用を用い、左右のフロントフレーム６１，６１に内管と外管との同軸での収納機能及び引き伸ばし機能を形成し、同軸でないフレームを折り畳んだもの（従来品）よりも、フロントフレーム６１を背もたれフレーム１１と重ね合わせることで、格別に占有空間を減少することができるものである。
【図面の簡単な説明】
【００２９】
【図１】本考案の実施形態に係るレジャー用椅子の連動折畳み式フレーム構造の開いた状態を示す正面図である。
【図２】図１のレジャー用椅子の連動折畳み式フレーム構造の開いた状態を示す側面図である。
【図３】折り畳んだ状態のレジャー用椅子の連動折畳み式フレーム構造を示す正面図である。
【図４】折り畳んだ状態のレジャー用椅子の連動折畳み式フレーム構造を示す側面図である。
【図５】手すりバーと背もたれフレームとの枢着部分を示す斜視図である。
【符号の説明】
【００３０】
１  背もたれフレームセット
２  後部交差フレーム
３  座面フレームセット
４  前部交差フレーム
５  手すりフレームセット
６  フロントバーセット
１１  背もたれフレーム
２１  フレーム基材
３１  座面フレーム
４１  フレーム基材
５１  手すりバー
５５  支持片
５６  支軸
６１  フロントフレーム
７１  第１伸縮パイプ
７２  第２伸縮パイプ
７１１  第１外管
７１２  第１内管
７１３  第１凸縁部
７１４  第１ストッパ
７２１  第２外管
７２２  第２内管
７２３  第２凸縁部
７２４  第２ストッパ
【図１】
0003140611.tif 000003
【図２】
0003140611.tif 000004
【図３】
0003140611.tif 000005
【図４】
0003140611.tif 000006
【図５】
0003140611.tif 000007